(57)【特許請求の範囲】
【請求項１】
センターポールと、フロントプレートと、バックプレートと、該フロントプレートと該バックプレートとの間に設置された主マグネットとを有する磁気回路と、
該主マグネットと逆極性に着磁され、該バックプレートの背面側に設置された第１キャンセルマグネットと、
該磁気回路および該第１キャンセルマグネットを包囲するように設置されたシールドカバーとを備え、
該シールドカバーの背面側に、該主マグネットと逆極性に着磁された第２キャンセルマグネットが設置されている、スピーカー。
【請求項２】
前記第２キャンセルマグネットの磁束密度が、前記主マグネットの磁束密度および前記第１キャンセルマグネットの磁束密度より小さい、請求項１に記載のスピーカー。
【発明の詳細な説明】
【０００１】
【発明の属する技術分野】
本発明は、低漏洩磁束型のスピーカーに関する。
【０００２】
【従来の技術】
スピーカーの磁気回路において、マグネットから発生する磁束は、本来ボイスコイルが設置された磁気ギャップに全て集めることが理想的であるが、通常の磁気回路においては、漏洩磁束が生じてしまう。したがって、スピーカーをテレビジョン受信機等の映像機器に近接して使用する場合、スピーカーからの漏洩磁束により画像の乱れが生じてしまう。したがって、テレビジョン受信機に近接して使用するスピーカーにおいては、低漏洩磁束のものが要求される。従来より、低漏洩磁束スピーカーとして、主マグネットの他にキャンセルマグネットを設置し、磁気回路およびキャンセルマグネットをシールドカバーで包囲することによって、漏洩磁束を低減させる低漏洩磁束型スピーカーが特に映像機器に近接して設置するスピーカーとして使用されている。
【０００３】
【発明が解決しようとする課題】
従来の低漏洩磁束型スピーカーにおいては、スピーカー外部への漏洩磁束の低減は不十分である。特に、フレーム端部からの漏洩磁束およびスピーカー側面方向における漏洩磁束の低減が不十分である。また、漏洩磁束を低減させるために、主マグネットの磁束を低減させると、スピーカーの性能が低下してしまうという問題がある。
【０００４】
本発明は上記従来の課題を解決するためになされたものであり、その目的とするところは、スピーカーの性能を低下させることなく、スピーカー外部への漏洩磁束を低減する低漏洩磁束型スピーカーを提供することにある。
【０００５】
【課題を解決するための手段】
本発明におけるスピーカーは、センターポールと、フロントプレートと、バックプレートと、該フロントプレートと該バックプレートとの間に設置された主マグネットとを有する磁気回路と、該主マグネットと逆極性に着磁され、該バックプレートの背面側に設置された第１キャンセルマグネットと、該磁気回路および該第１キャンセルマグネットを包囲するように設置されたシールドカバーとを備え、該シールドカバーの背面側に、該主マグネットと逆極性に着磁された第２キャンセルマグネットが設置されている。
【０００６】
好ましい実施形態においては、上記第２キャンセルマグネットの磁束密度は、上記主マグネットの磁束密度および上記第１キャンセルマグネットの磁束密度より小さい。
【０００７】
【発明の実施の形態】
以下、本発明における好ましい実施形態について具体的に説明するが、本発明はこれらの実施形態には限定されない。
【０００８】
図１は、本発明における好ましい実施形態による低漏洩磁束型スピーカーの断面図である。スピーカー１６は、振動板１、ダストキャップ２、ボイスコイル３、ダンパー４、フレーム５、エッジ６、磁気回路７を備えている。磁気回路７は、センターポール８、フロントプレート９、バックプレート１０、フロントプレート９とバックプレート１０との間に設置されたリング状の主マグネット１１を有している。センターポール８とフロントプレート９との間に形成された隙間が、磁気ギャップ１２を規定する。ボイスコイル３の一端が磁気ギャップ１２内に配されている。
【０００９】
バックプレート１０には、主マグネット１１が設置された面とは反対側に、リング状の第１キャンセルマグネット１３が設置されている。第１キャンセルマグネット１３は、主マグネット１１と逆極性に着磁されている。つまり、バックプレート１０を介して、主マグネット１１と第１キャンセルマグネット１３とは、同磁極が対向するように設置されている。第１キャンセルマグネット１３を設置することによって、主マグネット１１から発生する漏洩磁束は、第１キャンセルマグネット１３から発生する磁束により打ち消される。したがって、漏洩磁束は低減することになる。
【００１０】
磁気回路７および第１キャンセルマグネット１３は、磁性体材料で形成されたシールドカバー１４により包囲される。シールドカバー１４を設置することにより、漏洩磁束がスピーカー１６外部に漏洩することを低減することができる。
【００１１】
シールドカバー１４の第１キャンセルマグネット１３が近接している面とは反対面に、第２キャンセルマグネット１５が設置されている。第２キャンセルマグネット１５は、主マグネット１１と逆極性に着磁されている。つまり、第２キャンセルマグネット１５は、第１キャンセルマグネット１３と同極性に着磁されている。したがって、第１キャンセルマグネット１３と第２キャンセルマグネット１５とは、シールドカバー１４を介して異磁極が対向するように設置されている。第２キャンセルマグネット１５の形状は、任意に適切な形状が採用され得るが、代表的には、リング状もしくは円柱状である。第２キャンセルマグネット１５は、主マグネット１１および第１キャンセルマグネット１３と同軸状に設置されている。好ましくは、第２キャンセルマグネット１５の磁束密度は、主マグネット１１の磁束密度および第１キャンセルマグネット１３の磁束密度よりも小さい。第２キャンセルマグネット１５の磁束密度が主マグネット１１および第１キャンセルマグネット１３の磁束密度より大きければ、第２キャンセルマグネット１５からの磁束により漏洩磁束が増大するからである。好ましくは、主マグネット１１の磁束密度１００ガウスに対して、第１キャンセルマグネット１３の磁束密度は６０〜８０ガウス、第２キャンセルマグネット１５の磁束密度は１０〜３０ガウスである。第２キャンセルマグネット１５をシールドカバー１４背面に設置することによって、スピーカー側面方向の漏洩磁束をスピーカー前後方向に誘導することができる。したがって、スピーカー側面方向の漏洩磁束をきわめて低減することができる。
【００１２】
図２は、本発明における低漏洩磁束型スピーカーからの漏洩磁束を示す磁束密度２ガウスの磁束分布図である。図３は、本発明における低漏洩磁束型スピーカーをテレビジョン受信機の上部に設置する際の断面図であり、スピーカーからの磁束密度２ガウスの漏洩磁束がテレビジョン受信機に到達する分布を示す。図３において、実線で示した磁束が、本発明における低漏洩磁束型スピーカーからの漏洩磁束である。比較のため、従来例の低漏洩磁束型スピーカーからの漏洩磁束を破線で示す。第１キャンセルマグネット１３およびシールドカバー１４と組み合わせて、第２キャンセルマグネット１５をシールドカバー１４背面に設置することによって、図２および図３に示すように、漏洩磁束の分布が、スピーカー側面方向における磁束がきわめて低減する分布になることがわかる。また、フレーム５の端部から漏洩する磁束がきわめて低減される。したがって、本発明におけるスピーカー１６をテレビジョン受信機等の映像機器に近接して用いた際に、テレビジョン受信機のブラウン管に到達する漏洩磁束が低減され、画像の乱れをきわめて低減することができる。このように、本発明のスピーカーは、各種映像機器に近接して使用するスピーカーとして好適に用いられる。
【００１３】
以下、本発明における低漏洩磁束型スピーカーの作用について説明する。
本発明における低漏洩磁束型スピーカーは、磁気回路７および第１キャンセルマグネット１３を包囲するシールドカバー１４背面に、主マグネット１１と逆極性に着磁された第２キャンセルマグネット１５を設置する。
【００１４】
第１キャンセルマグネット１３およびシールドカバー１４と組み合わせて、第２キャンセルマグネット１５をシールドカバー１４の背面側に設置することによって、スピーカー１６からの漏洩磁束を低減するだけではなく、スピーカー１６の側面方向における漏洩磁束が、スピーカー１６の前後方向に誘導される。したがって、図３に示すようにスピーカー１６をテレビジョン受信機に近接して設置する際に、テレビジョン受信機に影響を与えるスピーカー１６側面方向の漏洩磁束は低減する。スピーカー１６前後方向の漏洩磁束は増大するが、テレビジョン受信機に重なり合わないので、テレビジョン受信機には影響を与えない。本発明のスピーカー１６は、シールドカバー１４背面に第２キャンセルマグネット１５を設置するが、第２キャンセルマグネット１５からの磁束は、漏洩磁束の分布を変えるだけである。したがって、第２キャンセルマグネット１５からの磁束がテレビジョン受信機に影響を与えることはない。
【００１５】
また、第２キャンセルマグネット１５をシールドカバー１４の背面側に設置することによって、磁性体であるシールドカバー１４およびフレーム５を介して、フレーム５の端部からスピーカー１６外部に漏洩する漏洩磁束がきわめて低減される。
【００１６】
以上のように、本発明におけるスピーカー１６は、スピーカー側面方向の漏洩磁束およびフレーム５の端部からの漏洩磁束をきわめて低減することができる。したがって、本発明におけるスピーカー１６をテレビジョン受信機に近接して設置する際に、テレビジョン受信機の画像の乱れをきわめて低減することができる。
【００１７】
また、本発明のスピーカーは、漏洩磁束を低減するために、主マグネットの磁束密度を低減するのではなく、第２キャンセルマグネットをシールドカバー背面に設置する。つまり、本発明のスピーカーは、磁束密度の大きな主マグネットを使用する際にも、漏洩磁束を低減できる。したがって、スピーカーの性能を低下させることなく、漏洩磁束を低減できる。
【００１８】
【実施例】
以下、本発明の実施例について具体的に説明するが、本発明はこれらの実施例には限定されない。
【００１９】
（実施例１）
本発明における低漏洩磁束型スピーカーについて、通常の方法で漏洩磁束を測定した。図４は、漏洩磁束を測定する位置をＸＹ座標で表したものである。スピーカーの前後方向（振動板の振動方向）をＸ軸に、スピーカーの側面方向（振動板の振動方向とは垂直の方向）をＹ軸に設定した。測定結果を図５および図６に示す。図５はそれぞれ、スピーカー前方（すなわち、Ｘ座標が）１５ｍｍ（◆で示す）、２５ｍｍ（■で示す）、３５ｍｍ（△で示す）におけるスピーカー側面方向の位置（すなわち、Ｙ座標位置）と漏洩磁束との関係を示すグラフである。図６はそれぞれ、スピーカー側面方向（すなわち、Ｙ座標が）２５ｍｍ（×で示す）、３５ｍｍ（△で示す）、４５ｍｍ（■で示す）、５５ｍｍ（◆で示す）におけるスピーカー前方位置（すなわち、Ｘ座標位置）と漏洩磁束との関係を示すグラフである。
【００２０】
（比較例１）
従来より用いられる低漏洩磁束型スピーカーについて、実施例１と同様にして漏洩磁束を測定した。測定結果を図７および図８に示す。図７はそれぞれ、スピーカー前方（すなわち、Ｘ座標が）１５ｍｍ（◆で示す）、２５ｍｍ（■で示す）、３５ｍｍ（△で示す）におけるスピーカー側面方向の位置（すなわち、Ｙ座標位置）と漏洩磁束との関係を示すグラフである。図８はそれぞれ、スピーカー側面方向（すなわち、Ｙ座標が）２５ｍｍ（×で示す）、３５ｍｍ（△で示す）、４５ｍｍ（■で示す）、５５ｍｍ（◆で示す）におけるスピーカー前方位置（すなわち、Ｘ座標位置）と漏洩磁束との関係を示すグラフである。
【００２１】
図５および図７から明らかなように、本発明のスピーカー前面方向においては、特にＹ座標が０付近つまりフレーム端部付近からの漏洩磁束がきわめて低減している。また、図６および図８から明らかなように、本発明のスピーカー側面方向における漏洩磁束がきわめて低減している。
【００２２】
【発明の効果】
本発明におけるスピーカーは、所定の磁束密度を有する第２キャンセルマグネットを所定の位置に備えることにより、スピーカー前後方向の磁束が増大し、スピーカー側面方向の磁束が低減する磁束分布になる。したがって、本発明におけるスピーカーは、テレビジョン受信機等の映像機器に近接させて使用する際にも、テレビジョン受信機の画像の乱れを防止することができる。また、本発明のスピーカーは、主マグネットの磁束密度を低減させずに漏洩磁束を低減するので、スピーカーの性能を低下させることはない。
【図面の簡単な説明】
【図１】本発明における好ましい実施形態による低漏洩磁束型スピーカーの断面図である。
【図２】本発明における低漏洩磁束型スピーカーからの漏洩磁束を示す磁束密度２ガウスの磁束分布図である。
【図３】本発明における低漏洩磁束型スピーカーをテレビジョン受信機の上部に設置した際の、スピーカーからの磁束密度２ガウスの漏洩磁束がテレビジョン受信機に到達する分布を示す断面図である。
【図４】漏洩磁束を測定する位置をＸＹ座標で表したものである。
【図５】本発明における低漏洩磁束型スピーカーに関して、スピーカー前面方向における測定位置を変化させた場合のスピーカー側面方向の位置と漏洩磁束との関係を示すグラフである。
【図６】本発明における低漏洩磁束型スピーカーに関して、スピーカー側面方向における測定位置を変化させた場合のスピーカー前面方向の位置と漏洩磁束との関係を示すグラフである。
【図７】従来より用いられる低漏洩磁束型スピーカーに関して、スピーカー前面方向における測定位置を変化させた場合のスピーカー側面方向の位置と漏洩磁束との関係を示すグラフである。
【図８】従来より用いられる低漏洩磁束型スピーカーに関して、スピーカー側面方向における測定位置を変化させた場合のスピーカー前面方向の位置と漏洩磁束との関係を示すグラフである。
【符号の説明】
７      磁気回路
８      センターポール
９      フロントプレート
１０    バックプレート
１１    主マグネット
１３    第１キャンセルマグネット
１４    シールドカバー
１５    第２キャンセルマグネット
１６    スピーカー
【図１】
0004211160.tif 000002
【図２】
0004211160.tif 000003
【図３】
0004211160.tif 000004
【図４】
0004211160.tif 000005
【図５】
0004211160.tif 000006
【図６】
0004211160.tif 000007
【図７】
0004211160.tif 000008
【図８】
0004211160.tif 000009